(57)【要約】      （修正有）【課題】安価な業務用テレビジョン受像機を提供する。【解決手段】第１の変換部が、第１の規格に基づくコマンドのうちの第１の種類のコマンドを、第２の規格に基づく第１のコマンドに変換する。第２の変換部が、第１の規格に基づくコマンドのうちの第２の種類のコマンドを、第２の規格に準拠するコマンドであって、第１のコマンドと異なる第２のコマンドに変換する。出力部が、第１のコマンドと第２のコマンドを出力する。本技術は、画像処理装置に適用することができる。【選択図】図１
2012222606.tif 000002
【特許請求の範囲】
【請求項１】
第１の規格に基づくコマンドのうちの第１の種類のコマンドを、第２の規格に基づく第１のコマンドに変換する第１の変換部と、
前記第１の規格に基づく前記コマンドのうちの第２の種類のコマンドを、前記第２の規格に準拠するコマンドであって、前記第１のコマンドと異なる第２のコマンドに変換する第２の変換部と、
前記第１のコマンドと前記第２のコマンドを出力する出力部と
を備える画像処理装置。
【請求項２】
前記第１の規格は、RS232Cであり、前記第２の規格は、HDMI-CECである
請求項１に記載の画像処理装置。
【請求項３】
前記画像処理装置は、テレビジョン受像機を制御するコントローラであり、
前記出力部は、前記第２のコマンドと前記第３のコマンドを前記テレビジョン受像機に出力する
請求項２に記載の画像処理装置。
【請求項４】
前記第１のコマンドは、前記HDMI-CECの標準コマンドであり、
前記第２のコマンドは、前記HDMI-CECのベンダーコマンドである
請求項３に記載の画像処理装置。
【請求項５】
第１の規格に基づくコマンドのうちの第１の種類のコマンドを、第２の規格に基づく第１のコマンドに変換する第１の変換ステップと、
前記第１の規格に基づく前記コマンドのうちの第２の種類のコマンドを、前記第２の規格に準拠するコマンドであって、前記第１のコマンドと異なる第２のコマンドに変換する第２の変換ステップと、
前記第１のコマンドと前記第２のコマンドを出力する出力ステップと
を含む画像処理方法。
【請求項６】
コンピュータに、
第１の規格に基づくコマンドのうちの第１の種類のコマンドを、第２の規格に基づく第１のコマンドに変換する第１の変換ステップと、
前記第１の規格に基づく前記コマンドのうちの第２の種類のコマンドを、前記第２の規格に準拠するコマンドであって、前記第１のコマンドと異なる第２のコマンドに変換する第２の変換ステップと、
前記第１のコマンドと前記第２のコマンドを出力する出力ステップと
を実行させるプログラムが記録されているコンピュータが読み取り可能な記録媒体。
【請求項７】
コンピュータに、
第１の規格に基づくコマンドのうちの第１の種類のコマンドを、第２の規格に基づく第１のコマンドに変換する第１の変換ステップと、
前記第１の規格に基づく前記コマンドのうちの第２の種類のコマンドを、前記第２の規格に準拠するコマンドであって、前記第１のコマンドと異なる第２のコマンドに変換する第２の変換ステップと、
前記第１のコマンドと前記第２のコマンドを出力する出力ステップと
を実行させるプログラム。
【発明の詳細な説明】
【技術分野】
【０００１】
本技術は画像処理装置および方法、記録媒体並びにプログラムに関し、特に安価な装置を提供できるようにした画像処理装置および方法、記録媒体並びにプログラムに関する。
【背景技術】
【０００２】
HDMI-CEC規格のケーブルで電子機器を接続することが提案されている（例えば特許文献１）。一般家庭で使用される多くのテレビジョン受像機も、HDMI-CEC規格のケーブルが接続可能なように構成されている。
【０００３】
一方、RS232C規格に基づき電子機器を接続することも知られている。例えばホテルの各部屋に配置されているテレビジョン受像機は、セットトップボックスやサイネージコントローラ（signage controller）からRS232C規格に基づくケーブルを介して制御されることが多い。
【０００４】
しかし、RS232C規格は一般家庭には余り普及しておらず、一般家庭で使用される多くのテレビジョン受像機には、RS232C規格のケーブルを接続することはできない。
【先行技術文献】
【特許文献】
【０００５】
【特許文献１】特開２０１０−２４６０５７号公報
【発明の概要】
【発明が解決しようとする課題】
【０００６】
そこで、ホテル等で使用される業務用テレビジョン受像機は、一般家庭用とは別に専用のテレビジョン受像機として特別に製造するか、一般家庭用のテレビジョン受像機を改造することで製造されていた。
【０００７】
その結果、業務用テレビジョン受像機は高価となることが多かった。
【０００８】
本技術はこのような状況に鑑みてなされたものであり、安価な装置を提供できるようにするものである。
【課題を解決するための手段】
【０００９】
本技術の一側面は、第１の規格に基づくコマンドのうちの第１の種類のコマンドを、第２の規格に基づく第１のコマンドに変換する第１の変換部と、前記第１の規格に基づく前記コマンドのうちの第２の種類のコマンドを、前記第２の規格に準拠するコマンドであって、前記第１のコマンドと異なる第２のコマンドに変換する第２の変換部と、前記第１のコマンドと前記第２のコマンドを出力する出力部とを備える画像処理装置である。
【００１０】
前記第１の規格は、RS232Cであり、前記第２の規格は、HDMI-CECとすることができる。
【００１１】
前記画像処理装置は、テレビジョン受像機を制御するコントローラとし、前記出力部は、前記第２のコマンドと前記第３のコマンドを前記テレビジョン受像機に出力することができる。
【００１２】
前記第１のコマンドは、前記HDMI-CECの標準コマンドとし、前記第２のコマンドは、前記HDMI-CECのベンダーコマンドとすることができる。
【００１３】
本技術の側面においては、第１の変換部が、第１の規格に基づくコマンドのうちの第１の種類のコマンドを、第２の規格に基づく第１のコマンドに変換し、第２の変換部が、第１の規格に基づくコマンドのうちの第２の種類のコマンドを、第２の規格に準拠するコマンドであって、第１のコマンドと異なる第２のコマンドに変換し、出力部が、第１のコマンドと第２のコマンドを出力する。
【００１４】
本技術の一側面の画像処理方法、記録媒体、及びプログラムは、上述した本技術の一側面の画像処理装置に対応する方法、記録媒体及びプログラムである。
【発明の効果】
【００１５】
以上のように、本技術の一側面によれば、安価な装置を提供することができる。
【図面の簡単な説明】
【００１６】
【図１】本技術のテレビジョンシステムの構成を示すブロック図である。
【図２】変換アダプタの処理を説明するフローチャートである。
【図３】コマンドの変換の例を示す図である。
【図４】テレビジョン受像機の動作を説明するフローチャートである。
【発明を実施するための形態】
【００１７】
以下、技術を実施するための形態（以下、実施の形態と称する）について説明する。なお、説明は以下の順序で行う。
１．HDMI-CECとRS232Cの説明
２．テレビジョンシステムの構成
３．変換アダプタの処理
４．テレビジョン受像機の動作
５．本技術のプログラムへの適用
６．その他
【００１８】
［HDMI-CECとRS232Cの説明］
【００１９】
動画または静止画からなる画像の信号と、その画像に付随する音声の信号とを含むベースバンド信号を高速に伝送するデジタルインタフェースとして、HDMI-CEC（High Definition Multimedia Interface- Consumer Electronics Control）が普及している。HDMI-CECの規格は、PC（Personal Computer）とディスプレイの接続標準規格であるDVI（Digital Visual Interface）に音声伝送機能や著作権保護機能を加えて、AV（Audio Visual）機器向けにアレンジした規格である。
【００２０】
なお、HDMI-CECの規格は、単にHDMI規格と称されることもあるが、本明細書では、HDMI-CEC規格と記述する。
【００２１】
HDMI-CECケーブルを介して接続される装置（以下、HDMI装置という）には、HDMIソース(HDMI Source)、HDMIシンク(HDMI Sink)、およびHDMIリピータ(HDMI Repeater)の３種類がある。
【００２２】
HDMIソースは、HDMI-CECケーブルを介して、画像や音声の信号を出力する出力端子を備え、HDMIシンクは、HDMI-CECケーブルを介して、画像や音声の信号が入力される入力端子を備える。HDMIリピータは、１以上の入力端子と、１以上の出力端子とを備え、HDMIソースおよびHDMIシンクの両方であるかのように振る舞い、HDMIソースとHDMIシンクとを中継する。
【００２３】
HDMI-CECは、HDMIソースから、必要なHDMIリピータを介して、HDMIシンクに、ベースバンドの画像や音声の信号を一方向に送信する信号チャンネルとしてのTMDS(Transition Minimized Differential Signaling)チャンネルを有する。また、HDMI-CECは、HDMIソース、必要なHDMIリピータ、およびHDMIシンクの制御に利用されるコマンド（すなわちメッセージ）を双方向に送信する制御チャンネルとしてのCEC(Consumer Electronics Control)ライン、さらには、その他のチャンネルを有する。
【００２４】
つまりHDMI-CECでは、物理層には、TMDSチャンネルが採用され、HDMI-CECケーブルで接続された装置全体の制御系の接続には、CECラインが採用されている。
【００２５】
さらに、HDMI-CECでは、機器間の認証に、EDID(Extended Display Identification Data)が採用されている。
【００２６】
すなわち、HDMI-CECの機器間の認証には、VESA(Video Electronics Standard Association)団体のDDC/EDID方式が採用されている。
【００２７】
DDC(Display Data Channel)は、HDMIソースが、HDMIシンク、さらには、HDMIリピータから、EDID(E-EDID(Enhanced Extended Display Identification Data))を読み出すのに使用される。
【００２８】
すなわち、HDMIシンクおよびHDMIリピータは、自身の設定(configuration)や性能(capability)に関する情報であるEDIDを記憶しているEDID ROM(Read Only Memory)を有している。HDMIソースは、HDMIシンクおよびHDMIリピータそれぞれのEDID ROMが記憶しているEDIDを、DDCを介して読み出し、そのEDIDに基づき、HDMIシンクおよびHDMIリピータの設定や性能を認識する。
【００２９】
HDMI-CEC規格に対応する機器を、HDMI-CEC機器と記述する。HDMI-CEC機器には固有の物理アドレスが割り当てられる。
【００３０】
一方、RS232C（Recommended Standard 232 version C）規格は、パーソナルコンピュータと周辺機器を接続するためのシリアルインターフェースの規格である。
【００３１】
［テレビジョンシステムの構成］
【００３２】
図１は、本技術のテレビジョンシステム１の構成を示すブロック図である。なお図１においては、主に本技術と関係のある構成のみが示されている。
【００３３】
このテレビジョンシステム１は、変換アダプタ１１、コントローラ１２、およびテレビジョン受像機１３により構成されている。変換アダプタ１１およびテレビジョン受像機１３は、HDMI-CEC機器である。ユーザはコントローラ１２を操作して、テレビジョン受像機１３を制御して所定のチャンネルの画像を表示させる。
【００３４】
なお、本実施の形態において伝送される情報は、主に映像信号とそれに付随する音声信号であるが、説明を簡単にするため、以下においては、映像信号の処理についてのみ説明する。しかし、音声信号も同様に処理されることは勿論である。
【００３５】
コントローラ１２と変換アダプタ１１とはRS232C規格のケーブル２１により接続されており、変換アダプタ１１とテレビジョン受像機１３は、HDMI-CEC規格のケーブル２２により接続されている。変換アダプタ１１は、例えばテレビジョン受像機１３の背面に配置されるいわゆる変換ボックスとして構成される。
【００３６】
コントローラ１２は、サイネージコントローラ（signage controller）として構成され、制御部７１、RS232C通信部７２、および端子７３を有している。
【００３７】
制御部７１は、ユーザからの入力に対応する信号をRS232C通信部７２に出力する。RS232C通信部７２は、ケーブル２１を介して変換アダプタ１１とRS232C規格に基づく通信を行う。端子７３は、RS232C規格のケーブル２１を接続する端子である。
【００３８】
テレビジョン受像機１３は、制御部９１、機能実行部９２、CEC通信部９３、HDMI送受信部９４、および端子９５を有している。
【００３９】
制御部９１は、ユーザからの指示に応じて各部を制御するほか、CEC通信部９３からコマンドの供給を受け、機能実行部９２を制御して、対応する処理を実行させる。制御部９１は、ベンダーコマンド処理部３１１と標準コマンド処理部３１２を有している。ベンダーコマンド処理部３１１はCEC通信部９３からのコマンドのうち、ベンダーコマンドを処理する。標準コマンド処理部３１２は、CEC通信部９３からのコマンドのうち、標準コマンドを処理する。ベンダーコマンド処理部３１１と標準コマンド処理部３１２は、この実施の形態の場合、それぞれ別のマイクロコンピュータにより構成されているが、１つのマイクロコンピュータで構成することも可能である。
【００４０】
なお、制御部９１は、CEC通信部９３とケーブル２２を介して他の装置を制御する機能も有している。
【００４１】
機能実行部９２は、制御部９１からの指示に応じて所定のチャンネルの映像信号を受信し、表示、出力する。また機能実行部９２は、HDMI送受信部９４が受信した映像信号を受信し、表示、出力する。
【００４２】
HDMI送受信部９４は、変換アダプタ１１からケーブル２２を介して供給される映像信号を受信し、機能実行部９２に供給する。CEC通信部９３はケーブル２２のCECラインを介して変換アダプタ１１から供給されるコマンドを受信し、対応する信号を制御部９１に出力する。端子９５は、HDMI-CEC規格のケーブル２２を接続する端子である。
【００４３】
画像処理装置としての変換アダプタ１１は、RS232C通信部４１、変換部４２、CEC通信部４３、制御部４４、記憶部４５、およびHDMI送受信部４６を有している。また、変換アダプタ１１は、端子５１，５２，５３を有している。端子５１は、RS232C規格のケーブルを接続する端子であり、端子５２，５３は、HDMI-CEC規格のケーブルを接続する端子である。
【００４４】
RS232C通信部４１は、ケーブル２１を介してコントローラ１２のRS232C通信部７２とRS232Cの規格に基づく通信を行う。
【００４５】
変換部４２は、RS232C通信部４１から供給された、RS232Cの規格のプロトコルに基づくコマンドを、HDMI-CEC規格のプロトコルに基づくコマンドに変換し、CEC通信部４３に出力する。また変換部４２は、CEC通信部４３から入力されたHDMI-CEC規格に基づくコマンドを、RS232Cの規格に基づくコマンドに変換して、RS232C通信部４１に出力する。RS232C通信部４１はこのコマンドを、ケーブル２１を介してコントローラ１２のRS232C通信部７２に出力する。
【００４６】
変換部４２は、記憶部４５に記憶されているプログラムに従って上記各種の処理を実行するため、ベンダーコマンド処理部１１１、標準コマンド処理部１１２、および送信部１１３の機能ブロックを有している。
【００４７】
ベンダーコマンド処理部１１１は、HDMI-CEC規格のコマンドのうち、ベンダーコマンドの処理を実行する。このベンダーコマンド処理部１１１は、判定部２０１、変更部２０２、削除部２０３、付加部２０４、および圧縮伸張部２０５の機能ブロックを有している。この機能ブロックは、記憶部４５に記憶されているプログラムに従って実現される。
【００４８】
判定部２０１は各種の判定処理を行う。変更部２０２は、コマンドの所定のフィールドの内容を変更する処理を実行する。削除部２０３は、コマンドの所定のフィールドを削除する処理を実行する。付加部２０４は、コマンドの所定のフィールドを付加する処理を実行する。圧縮伸張部２０５は、コマンドの所定のフィールドのデータの圧縮伸張処理を実行する。
【００４９】
標準コマンド処理部１１２は、HDMI-CEC規格のコマンドのうち、標準コマンドの処理を実行する。この標準コマンド処理部１１２は、生成部２２１を有している。生成部２２１は、標準コマンドを生成する。送信部１１３は、ベンダーコマンド処理部１１１または標準コマンド処理部１１２により生成されたコマンドを、CEC通信部４３に出力する。
【００５０】
CEC通信部４３は、変換部４２から供給されたコマンドを制御部４４に出力する他、ケーブル２２を介してテレビジョン受像機１３のCEC通信部９３にも出力する。またCEC通信部４３は、ケーブル２２を介してテレビジョン受像機１３のCEC通信部９３と通信する。制御部４４は、例えばマイクロプロセッサなどにより構成され、記憶部４５に記憶されているプログラムに従って各種の制御を行う。
【００５１】
HDMI送受信部４６は、ケーブル２２を介してテレビジョン受像機１３のHDMI送受信部９４との間で映像信号を授受する。
【００５２】
なお、端子５３にHDMIケーブルを介して他の装置が接続されている場合には、その装置との間でもコマンドと映像信号が授受される。
【００５３】
［変換アダプタの処理］
【００５４】
次に、変換アダプタ１１の処理について説明する。
【００５５】
図２は、変換アダプタ１１の処理を説明するフローチャートである。この処理は、コントローラ１２からコマンドが入力されたとき開始される。
【００５６】
ユーザがコントローラ１２を制御して所定の指令を指示すると、制御部７１はその指示に対応するコマンドを生成しRS232C通信部７２に出力する。RS232C通信部７２は、入力されたコマンドをRS232Cの規格に基づくコマンドに変換する。このコマンドは、ケーブル２１を介して変換アダプタ１１のRS232C通信部４１に入力される。RS232C通信部４１は、RS232Cの規格に基づくコマンドを、変換部４２に供給する。
【００５７】
変換部４２においては、ベンダーコマンド処理部１１１の判定部２０１が、ステップＳ１において、RS232C通信部４１より入力されたコマンドがベンダーコマンドの対象であるかを判定する。入力されたRS232Cのコマンドは、HDMI-CEC規格の標準コマンドか、またはベンダーコマンドのいずれかに変換される。ベンダーコマンドは、HDMI-CEC規格において各ベンダー（例えばそのコマンドを使用する装置のメーカー）が、HDMI-CEC規格に準拠することを条件にして、任意に定めることが許容されているコマンドである。
【００５８】
RS232Cコマンドを標準コマンドとベンダーコマンドのいずれに変換するかは予め定められている。この実施の形態の場合、標準コマンドに変換されるのは、RS232Cの次の第１の種類のコマンドである。すなわち、電源をオンまたはオフするコントロール（Control）コマンド、電源の状態を確認するエンクイリ（Enquiry）コマンド、および音量を増加または減少する（Volume up/down）コマンドが、標準コマンドに変換される。それ以外の第２の種類のコマンドは、ベンダーコマンドに変換される。
【００５９】
電源をオンするコントロールコマンドは、テレビジョン受像機１３がスリープ状態にあるとき送信される。テレビジョン受像機１３がスリープ状態にあるとき、テレビジョン受像機１３においては、標準コマンド処理部３１２を構成する小さなマイクロコンピュータしか動作していない。すなわち、テレビジョン受像機１３がスリープ状態にあるとき、ベンダーコマンド処理部３１１は動作していない。そこで、電源をオンするRS232Cのコントロールコマンドは、標準コマンドに変換される。
【００６０】
電源をオフするコントロールコマンドは、テレビジョン受像機１３が動作状態にあるとき送信されるので、ベンダーコマンドに変換することもできるが、電源をオンするコントロールコマンドに合わせて、標準コマンドに変換される。その方が、統一がとれて、処理が容易となる。
【００６１】
電源の状態を確認するエンクイリコマンドもテレビジョン受像機１３がスリープ状態にあるとき送信される場合がある。そこで、電源状態を確認するRS232Cのエンクイリコマンドは、標準コマンドに変換される。
【００６２】
音量を増加または減少するボリュームコマンドのベンダーコマンドは、例えば１２バイト（bytes）の長さになる。これに対して標準コマンドは、３バイトの長さになる。長さが短いコマンドの方が、短い時間で送信を完了することができ、その分、より迅速に音量を変更することが可能になる。そこで、本実施の形態では、ボリュームをアップまたはダウンさせるコマンドは、標準コマンドに変換される。
【００６３】
さらにこの実施の形態においては、ボリュームをアップまたはダウンするコマンドは、１回だけ送信される。その後、アップまたはダウンの指示が継続しているとき、新たなコマンドは送信されない。そしてアップまたはダウンの指示が停止したとき、アップまたはダウンボタンのリリースを表すコマンドが送信される。テレビジョン受像機１３においては、アップまたはダウンのコマンドが１回受信されると、アップまたはダウンを自ら連続して繰り返し、リリースのコマンドが受信されたとき、アップまたはダウンの処理を停止する。これにより、さらに迅速な処理が可能になる。
【００６４】
ステップＳ１において入力されたRS232Cのコマンドが、ベンダーコマンドの対象であると判定された場合、ステップＳ２において変更部２０２は、フィールドを変更する。ステップＳ３において付加部２０４は、フィールドを付加する。ステップＳ４において削除部２０３は、フィールドを削除する。すなわち、RS232Cのコマンドをベンダーコマンドに変換するために、RS232Cのコマンドのフィールドを変更する必要がある場合、変更処理が実行される。同様に、RS232Cのコマンドをベンダーコマンドに変換するために、新たなフィールドを付加する必要がある場合、付加処理が実行され、RS232Cのコマンドのフィールドを削除する必要がある場合、削除処理が実行される。これらの処理は必要な場合に実行される。
【００６５】
図３は、コマンドの変換の例を示す図である。図３において上側に示されているのはRS232Cのコマンド４１１であり、下側に示されているのは、ベンダーコマンド５１１である。
【００６６】
RS232Cのコマンド４１１の第１のフィールドＦ１は内容が変更され、ベンダーコマンド５１１の第１のフィールドｆ１とされている。RS232Cのコマンド４１１の第２のフィールドＦ２は、ベンダーコマンド５１１では使用されないため、削除されている。
【００６７】
RS232Cのコマンド４１１の第３のフィールドと第７のフィールドは、そのままベンダーコマンド５１１の第３のフィールドｆ３と第６のフィールドｆ６とされている。この処理も変更部２０２により実行される。RS232Cのコマンド４１１の第４乃至第６のフィールドは圧縮され、ベンダーコマンド５１１の第４および第５のフィールドとされている。
【００６８】
ステップＳ５において判定部２０１は、プログラムを選択するコマンドであるかを判定する。入力されたRS232Cのコマンドが、プログラムを選択するコマンドである場合、ステップＳ７において圧縮伸張部２０５は、データフィールドのデータを圧縮する。
【００６９】
すなわち、プログラムを選択するRS232Cのコマンドの長さは、ベンダーコマンドの長さより長い。そこで、プログラムを選択するRS232Cのコマンドは、その長さを圧縮してベンダーコマンドとされる。
【００７０】
ステップＳ５において、入力されたRS232Cのコマンドがプログラムを選択するコマンドではないと判定された場合、ステップＳ７の圧縮処理はスキップされ、処理はステップＳ８に進む。
【００７１】
ステップＳ１において入力されたRS232Cのコマンドが、ベンダーコマンドの対象ではないと判定された場合、ステップＳ６において標準コマンド処理部１１２の生成部２２１は標準コマンドを生成する。すなわち、入力されたRS232Cのコマンドに対応するHDMI-CECの規格に基づく標準コマンドが生成される。
【００７２】
ステップＳ６およびステップＳ７の処理の後、並びにステップＳ５において、入力されたRS232Cのコマンドがプログラムを選択するコマンドではないと判定された場合、ステップＳ８の処理が実行される。ステップＳ８においては、送信部１１３がコマンドを送信する。
【００７３】
すなわち、標準コマンドまたはベンダーコマンドが、ＣＥＣ通信部４３から、ケーブル２２を介して、テレビジョン受像機１３のＣＥＣ通信部９３に送信される。ＣＥＣ通信部９３は取得されたコマンドを制御部９１に供給する。
【００７４】
［テレビジョン受像機の動作］
【００７５】
次に、図４を参照して、以上のようにしてコマンドの送信を受けたテレビジョン受像機の動作を説明する。
【００７６】
図４は、テレビジョン受像機１３の動作を説明するフローチャートである。ステップＳ５１においてテレビジョン受像機１３の制御部９１の標準コマンド処理部３１２は、ケーブル２２を介して入力されたのが標準コマンドであるかを判定する。変換アダプタ１１より供給されたコマンドが、標準コマンドである場合、ステップＳ５２において標準コマンド処理部３１２は、標準コマンドに対応する処理を実行する。すなわち、標準コマンド処理部３１２は、入力された標準コマンドに基づいて機能実行部９２を制御し、標準コマンドに対応する処理を実行させる。
【００７７】
これに対して、ステップＳ５１において入力されたのが標準コマンドではないと判定された場合、ベンダーコマンド処理部３１１がコマンドを取得し、ベンダーコマンドに対応する処理を実行する。すなわち、ベンダーコマンド処理部３１１は、入力されたベンダーコマンドに基づいて機能実行部９２を制御し、ベンダーコマンドに対応する処理を実行させる。
【００７８】
このように、本実施の形態では、制御対象としてのテレビジョン受像機１３に、RS232Cのケーブルを接続する端子が設けられるのではなく、HDMIのケーブルを接続する端子が設けられる。その結果、通常の一般家庭において使用されるテレビジョン受像機を、ホテル等においてそのまま使用することができ、特別に設計したり、改造する必要が無いので、低コスト化を図ることができる。
【００７９】
なお、本技術における制御対象はテレビジョン受像機に限られず、サイネージディスプレイ、その他の各種の電子機器を制御する場合に本技術は適用することができる。
【００８０】
[本技術のプログラムへの適用]
【００８１】
上述した一連の処理は、ハードウエアにより実行させることもできるし、ソフトウエアにより実行させることができる。
【００８２】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００８３】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００８４】
また、本技術の実施の形態は、上述した実施の形態に限定されるものではなく、本技術の要旨を逸脱しない範囲において種々の変更が可能である。
【００８５】
［その他］
【００８６】
本技術は、以下のような構成もとることができる。
（１）
第１の規格に基づくコマンドのうちの第１の種類のコマンドを、第２の規格に基づく第１のコマンドに変換する第１の変換部と、
前記第１の規格に基づく前記コマンドのうちの第２の種類のコマンドを、前記第２の規格に準拠するコマンドであって、前記第１のコマンドと異なる第２のコマンドに変換する第２の変換部と、
前記第１のコマンドと前記第２のコマンドを出力する出力部と
を備える画像処理装置。
（２）
前記第１の規格は、RS232Cであり、前記第２の規格は、HDMI-CECである
前記（１）に記載の画像処理装置。
（３）
前記画像処理装置は、テレビジョン受像機を制御するコントローラであり、
前記出力部は、前記第２のコマンドと前記第３のコマンドを前記テレビジョン受像機に出力する
前記（１）または（２）に記載の画像処理装置。
（４）
前記第１のコマンドは、前記HDMI-CECの標準コマンドであり、
前記第２のコマンドは、前記HDMI-CECのベンダーコマンドである
前記（２）に記載の画像処理装置。
（５）
第１の規格に基づくコマンドのうちの第１の種類のコマンドを、第２の規格に基づく第１のコマンドに変換する第１の変換ステップと、
前記第１の規格に基づく前記コマンドのうちの第２の種類のコマンドを、前記第２の規格に準拠するコマンドであって、前記第１のコマンドと異なる第２のコマンドに変換する第２の変換ステップと、
前記第１のコマンドと前記第２のコマンドを出力する出力ステップと
を含む画像処理方法。
（６）
コンピュータに、
第１の規格に基づくコマンドのうちの第１の種類のコマンドを、第２の規格に基づく第１のコマンドに変換する第１の変換ステップと、
前記第１の規格に基づく前記コマンドのうちの第２の種類のコマンドを、前記第２の規格に準拠するコマンドであって、前記第１のコマンドと異なる第２のコマンドに変換する第２の変換ステップと、
前記第１のコマンドと前記第２のコマンドを出力する出力ステップと
を実行させるプログラムが記録されているコンピュータが読み取り可能な記録媒体。
（７）
コンピュータに、
第１の規格に基づくコマンドのうちの第１の種類のコマンドを、第２の規格に基づく第１のコマンドに変換する第１の変換ステップと、
前記第１の規格に基づく前記コマンドのうちの第２の種類のコマンドを、前記第２の規格に準拠するコマンドであって、前記第１のコマンドと異なる第２のコマンドに変換する第２の変換ステップと、
前記第１のコマンドと前記第２のコマンドを出力する出力ステップと
を実行させるプログラム。
【符号の説明】
【００８７】
１  画像処理装置，  １１  変換アダプタ，  １２  コントローラ，  １３  テレビジョン受像機，  ４１  RS232C通信部，  ４２  変換部，  ４３  CEC通信部，  ４４  制御部，  ４５  記憶部，  ２０１  判定部，  ２０２  変更部，  ２０３  削除部，  ２０４  付加部，  ２０５  圧縮伸張部
【図１】
2012222606.tif 000003
【図２】
2012222606.tif 000004
【図３】
2012222606.tif 000005
【図４】
2012222606.tif 000006